(57)【要約】      （修正有）【課題】文字画像印刷において鮮明な印刷を施し、ピース使用時の摩耗や傷、バリ取研磨時での剥離、脱落の防止とピ−スの表裏の判別、脱着性の良い、縁枠一体成型によるプラスチックのジグソーパズルを提供する。【解決手段】プラスチックによるジグソーパズル製造において上部透明プラスチック１の背面に文字画像部２、白色裏打ち印刷３、接着層４、下部不透明光沢プラスチック５でピースの基材構成し、鮮明な文字画像を表現し、使用時及び研磨時の文字画像の保護を行い、ピースの表裏の判別が明確になる。カットされたピースの側面をバリ研磨行うことでスムーズな脱着ができ、さらに縁の外形は縁、ピースの基材とピースの台を貼り、三層のプラスチック板となり、縁外形カットで一体成型を行う。【選択図】図１
0003182041.tif 000002
【実用新案登録請求の範囲】
【請求項１】
縁とピースの基材となる積層板は、表面の透明プラスチック板厚さ２ｍｍから５ｍｍの背面に印刷された文字画像印刷層と其の上に白色裏打ち印刷層と接着層とその接着される下部不透明光沢プラスチック板厚さ２ｍｍから５ｍｍで構成される事を特徴としたジグソーパズル。
【請求項２】
縁、ピ−スの基材を構成する２枚のプラスチック板は、上部は透明プラスチック板厚さ２ｍｍから５ｍｍ、下部は別色不透明光沢プラスチック板厚さ２ｍｍから５ｍｍで構成する事を特徴とする請求項目１に記載のジグソーパズル。
【請求項３】
ピースのバリ取研磨は０．０２ｍｍから０．１ｍｍで有る事を特徴とした請求項目１及び２いずれかに記載のジグソーパズル。
【請求項４】
縁枠は縁とピースの基材をピ−スの台となるプラスチック板厚さ２ｍｍから８ｍｍに貼り合わせ、プラスチック板三層で構成する事を特徴とした請求項目１及び２、３いずれかに記載のジグソーパズル。
【考案の詳細な説明】
【技術分野】
【０００１】本考案はプラスチックによるジグソーパズルに関するものである。
【背景技術】
【０００２】ジグソーパズルは通常、紙の表面に文字や画像を印刷したものがジグソーパズル製作用の基材となり、その基材をプレスカットされピースや縁を形成したものや、完成された白紙のジグソーパズルの上に印刷を行う方法がある。【０００３】プラスチックによるジグソーパズルは素材の特性により印刷方法、基材の加工方法は紙製と異なり硬度、厚み、素材の透明性を考慮し、特殊な印刷方法と加工方法を求められている。【０００４】特許文献１はピースの上面面取り及び固定連結部について開示され、特許文献２は光透過パネルに必要な印刷濃度及透明樹脂基板と透明接着剤による表面マット透明層の積層について開示されている。
【先行技術文献】
【特許文献】
【０００５】
【特許文献１】特許公開２０１１−５１２１７０公報
【特許文献２】特許公開１９９５−３１３７２９公報
【考案の概要】
【考案が解決しようとする課題】
【０００６】しかしながら特許文献１に於ける表裏の判別に必要なピ−スの上面面取りについては表面が凹凸になり、ピースのカット線と合わせて文字画像が見にくくなり、特許文献２に於いて透明樹脂基盤と透明樹脂マット層の表面に有る画像層との間に接着層があり液状接着剤を使用した場合、接着剤や刷り色の濁りやマット樹脂の凹凸に起因した気泡の発生による鮮明な印刷表現が課題である。【０００７】特許文献２に於いてマット層が薄い場合、研磨による傷、はがれの原因になり使用時、バリ研磨時における印刷面の損傷が課題である。【０００８】特許文献１に於いて表裏判別の為の上面面取りは、面取り角度が小さい場合判別がしにくいのが課題である。【０００９】特許文献１に於けるピースの上面面取りでは側面のバリによる脱着時周辺ピースの連係による持ち上がりが解決出来ず、又ピースの連結により強固に固定した場合ジグソーパズル使用時のスムーズなピース脱着が課題である。【００１０】そこで本考案は鮮明な画像表現と印刷面の２枚の厚手光沢プラスチック板での挟持による印刷画像の保護、研磨によるピ−スの滑らか脱着、レーザーカットによるピ−スの形成と、三層からなる縁の外形をカットして形成したジグソーパズルを提供する。
【問題を解決するための手段】
【００１１】（１）本考案の第１の態様は縁、ピースを形成する基材においての印刷表現は２枚のプラスチックの上部の透明プラスチック板厚さ２ｍｍ〜５ｍｍの背面に逆像で文字画像印刷し、その上に白色印刷で裏打ちを行うことで白色裏打ち印刷面と下部の不透明光沢プラスチック板厚さ２ｍｍ〜５ｍｍの間で接着され文字画像印刷は接着剤に影響されず鮮明な印刷表現がなされる。
【００１２】（２）本考案の第２の態様は２枚のプラスチック板の間に印刷面を挟持し、接着剤で全体を貼り合わせ、ピースのバリ取り研磨による印刷面の剥がれ、脱落、ピース使用上の傷、摩耗から印刷面を保護出来る１枚の縁、ピース用基材を形成する。
【００１３】（３）本考案の第３の態様は基材に印刷された画像及び文字の印刷範囲内で縁の内径とともにピ−スをレーザーカット後、ピースだけを研磨機により、バリ取り研磨し、滑らかにする事により着脱し易いピ−スを形成する。
【０００１４】（４）本考案の第４の態様はピースを構成する２枚のプラスチック板の下側の板を不透明光沢プラスチック板で貼り合わせ、表裏が明確になるように、表面が透明、下側が不透明の板で形成する。
【０００１５】（５）本考案の第５の態様はピ−ス装着用の台となるプラスチック板にピ−スカット後の縁を形成する基材を貼付け、台とともに縁の外形をカットすることで、ジグソーパズルの側面となる縁枠を形成する。
【考案の効果】
【０００１６】文字画像面が上部透明プラスチックの背面に直接逆像印刷され白色裏打ち印刷を行われる事で正面からは正像になり文字画像は鮮明に表現される。又接着剤が白色裏打ち印刷の裏側になり、印刷面は接着剤に影響されない。
【０００１７】印刷面が２枚のプラスチックで封じ込まれる事によりピ−ス使用時の傷、摩耗がなく又、バリ取りするためのピースの全体研磨による印刷面の剥がれ、脱落を防ぎピースの脱着がスムーズになる。
【０００１８】プラスチック印刷において文字画像印刷を鮮明に表現する為、裏打ちに白色印刷を行うが、文字画像印刷の中でピース全体が白色になる部分は下部に透明プラスチック板を使用した場合、印刷面の白色と裏打ちの白色印刷が同色になり、表裏の判別が難しい、しかし不透明光沢プラスチック板を使用する事で表裏が簡単に判別出来、マットの凹凸よる液体接着剤の気泡発生も抑えられる。
【０００１９】縁、ピースの加工においてレーザーカットすることでピースの複雑な形状や小さいもので縁も細かくカット出来き、ジグソーパズル側面と縁枠作成に於いて台になるプラスチック板に貼り合わせ外形をカットする事で上下一体成型がなされる。
【図面の簡単な説明】
【０００２０】
【図１】本考案の第１、２の実施例に係わるジグソーパズル用、縁、ピースとなる基材の側面図
【図２】本考案の第１、２、３、５の実施例に係わるジグソーパズル用、縁、ピース基材の正面図
【図３】本考案の第１、２、３，４の実施例に係わるジグソーパズルを構成するピ−スの斜視図
【図４】本考案の第１、２、３、４、５の実施例に係わるジグソーパズルを構成するピースをはずしたジグソーパズル基材積層斜視図
【図５】本考案の第１、２、３、４、５の実施例に係わるジグソーパズルの斜視図
【本考案を実施する為の形態】
【０００２１】図１に示すようにジグソーパズルの縁とピースの基材は図１，におけるプラスチック１の背面に文字画像を逆像印刷２と白色裏打ち印刷３を行い、不透明プラスチック板５を接着剤４で接着を行い、図２におけるジグソーパズルの縁枠９とピース６を構成する基材１１を形成する。
【０００２２】図２に示すように縁とピースの基材１１は印刷範囲１０の内側で縁の内径７とピ−ス６にカットし、装着されたピース６の脱着の場合、素材の硬度、ピースの厚みにより上下の脱着になり、脱着時図３のピース側面１２のバリによりピースの周辺部分が持ち上がり、周辺ピースの崩落やピース装着不良を招くのでピース側面１２の研磨を行うが、図２に示すようにカットされた絵柄１０の１部を構成する図３のピース６の印刷面は図１におけるプラスチック１、５で保護され、図１に示す用に縁とピースの基材となる積層板として構成される。
【０００２３】図４に示すように縁の内径７でカットされた縁、ピースの基材１１を図２の縁枠９とピース６の装着台となるプラスチック板１３で接着し、縁の外形８をカットする事で図５に示すようにジグソーパズルの縁枠９とジグソーパズルの側面１４として一体成型される。
【実施例１】
【０００２４】図１は本考案に係わるジグソーパズルのピース、縁を構成する基材の側面図である。  図１に示すプラスチック１の背面で逆像印刷面２と白色裏打ち印刷３を行い、白色裏打ち印刷面３とプラスチック５を接着剤４で固定し形成する。【０００２５】図２に示すように印刷範囲１０の中で縁の内径７とピース６をレーザーカットし、形成された基材から作られた、図３におけるピース６の側面１２のバリ取り研磨を行う。【０００２６】表裏の判別が明確になるピースは図１における透明プラスチック１と別色の不透明光沢プラスチック５により構成される。【０００２７】図２に示す様に印刷範囲１０で内径７内のカットされた図４のピース以外の基材１１を台になるプラスチック１３に貼り合わせ、三層構造になった縁の外形８をカットする事で図５に示す様に縁枠９とジグソーパズルの側面１４を形成する。
【産業上の利用可能性】
【０００２８】本考案は遊具、写真立て等に関するものである
【符号の説明】
【０００２９】１、透明プラスチック板
２、文字画像印刷層
３、裏打ち白色印刷層
４、接着剤層
５、不透明光沢プラスチック板
６、ジグソーパズル用ピ−ス
７、ジグソーパズル用縁の内形
８、ジグソーパズル用縁の外形
９、縁枠
１０、印刷範囲
１１、ジグソーパズルを構成する縁、ピースの基材
１２、ピ−スの側面
１３、ジグソーパズルの最下部を構成する、台となるプラスチック板
１４、ジグソーパズルの側面
【図１】
0003182041.tif 000003
【図２】
0003182041.tif 000004
【図３】
0003182041.tif 000005
【図４】
0003182041.tif 000006
【図５】
0003182041.tif 000007